(57)【要約】【課題】ブロックを縦方向及び横方向に連結して、ブロックにより什器や玩具等を製作したり、ブロックをペットボトルへ取り付けて、ブロックを縦方向及び横方向に連結することにより、ペットボトルで什器や玩具などを製作したりすることができるブロックを提供すること。【解決手段】（イ）ブロック１は上側の枠部２と、下側の脚部３とを枠部２へ脚部３が嵌まる条件で一体成形されていること。（ロ）上記枠部２はペットボトル４の下部の嵌め外しが可能であって、周囲に隣り合うブロック１、１を連結する連結手段５、６を設けられること。（ハ）脚部３は中央部にペットボトル４の上部を嵌め外しする受孔７が設けられ、受孔７の外側には連結部材５、６で連結した枠部２の対応周壁２ａを挟み付ける切割８が設けられていること。【選択図】図１
2005187001.tif 000002
【特許請求の範囲】
【請求項１】
以下の要件を備えることを特徴とするブロック。
（イ）ブロックは上側の枠部と、下側の脚部とを枠部へ脚部が嵌まる条件で一体成形されていること。
（ロ）上記枠部はペットボトルの下部の嵌め外しが可能であって、周囲に隣り合うブロックを連結する連結手段を設けられること。
（ハ）脚部は中央部にペットボトルの上部を嵌め外しする受孔が設けられて、受孔の外側には連結手段で連結した枠体の対応周壁を挟み付ける切割が設けられていること。
【発明の詳細な説明】
【技術分野】
【０００１】
本発明は、ブロックを単体で連結したり、ペットボトルへ取り付けて連結したりして、ブロックとペットボトルで什器、玩具等を製作することができるブロックに関する。
【背景技術】
【０００２】
使用済みのペットボトルを什器、玩具などとして活用するため、ペットボトルの底部及び頭部へ嵌脱可能であり、周囲には相互の連結を行う連結手段を備えた連結具は、本発明者の先願により知られている。（特許文献１参照）
【特許文献１】登録実用第３０９９５７５号
【０００３】
しかしながら、上記連結具はペットボトルへ取り付けない単体の状態では横方向へ連結できるが、縦方向には連結できない。このため、連結具だけで立体的な什器、玩具等を製作することはできない問題点がある。
【発明の開示】
【発明が解決しようとする課題】
【０００４】
本発明は上記問題点を解消し、ブロック単体でも横方向は勿論、縦方向の連結ができるため、ブロックで立体的な什器、玩具を製造したり、ペットボトルへ取り付けてブロックを縦方向及び横方向へ連結することにより、ペットボトルで什器、玩具を製作したりすることが可能なブロックを提供することをその課題とする。
【課題を解決するための手段】
【０００５】
本発明は、前記課題を解消するため、下記の構成を採用することを特徴とする。
（イ）ブロックは上側の枠部と、下側の脚部とを枠部へ脚部が嵌まる条件で一体成形されていること。
（ロ）上記枠部はペットボトルの下部の嵌め外しが可能であって、周囲に隣り合うブロックを連結する連結手段を設けられること。
（ハ）脚部は中央部にペットボトルの上部を嵌め外しする受孔が設けられて、受孔の外側に連結部材で連結した枠体の対応周壁を挟み付ける切割が設けられていること。
【発明の効果】
【０００６】
請求項１の効果  ブロックは枠部の周囲に設けた連結手段で横方向に連結され、枠部と
脚部の嵌め付け方により縦方向には真っ直ぐ及び斜め（下段の２個ブロックの中間に上段
の１個のブロックが位置する状態）に連結される。このため、ブロックだけで平面的或は
立体的な什器、玩具などを形成することができ、更に、ペットボトルの上下にブロックを
取り付けると、ブロックの連結でペットボトルを横方向及び縦方向に連結して、ペットボ
トルで立体的な什器、玩具等を形成することもできる。更に、このブロックは簡単に連結
を分離して解体し、別の什器や玩具に作り替えることも容易にできる。
【発明を実施するための最良の形態】
【０００７】
以下に本発明に係るブロックの実施形態を図面に付いて説明する。
【実施例１】
【０００８】
図１〜図６において符号１は、本発明のブロックを示す。このブロック１は、上側の枠部２と、下側の脚部３とを枠部２へ脚部３を嵌め外しできる条件で一体成形されており、上記枠部２は図１０に示すペットボトル４の下部の嵌め付けが可能であって、周囲に隣り合うブロック１を連結する連結手段５、６を設けられる。また、脚部３は中央部にペットボトルの上部を嵌め外しする受孔７が設けられ、受孔７の外側には連結手段で連結した枠部２の対応周壁２ａを挟み付ける切割８が設けられるものであって、合成樹脂の成形により形成されている。
【０００９】
上記ブロック１は、ペットボトル４が四角形の場合は、これに合わせた四角形に形成し、上部の枠部２と下部の脚部３との間に水平方向の仕切板９を設け、仕切板９の裏面には図４、図５、図６に示す通りペットボトル４の上部へ被せたキャップ１１の上面に当る円形凸条１０を設けてある。
【００１０】
上記枠部２は、周壁２ａの内側にペットボトル４の下部の周面へ係合する係止凸条１２を図１、図３、図５、図６に示す通り垂直方向に２条ずつ各壁に設け、周壁２ａの外側には、図３において左右に対応するものには、ブロック１を横方向に連結する雄の連結手段５を、前後に対応するものには雌の連結手段６を設けるもので、雄の連結手段５は蟻ほぞ形とし、雌の連結手段４は蟻溝形としてある。
【００１１】
脚部３に設けたペットボトル２の受孔７は、その上部を除いて切割８により４分割されていて、周壁７ａに図２、図４に示す通り切込１３を入れ、弾性変形が可能な可動部１４を形成する。この可動部１４には図１０に示す通りペットボトル４へ被せたキャップ１１に設けられる凹部１５に係合する係止凸部１６を水平方向に設けてある。
【００１２】
なお、本発明のブロック１の脚部３と、蟻ほぞ形の連結手段５、蟻溝形の連結手段６は図２に示す通り中空構造に形成して計量で安価に製作できるようにする。
【００１３】
上記構成のブロック１は、図７の上側に示す通り、前後に隣り合うブロック１、１を枠部２の周壁２ａに設けた雄の連結手段５と、雌の連結手段６とが相対するように配置して
、雄と雌の連結手段５、６を図７の下側に示す通りに掛け合わせれば、ブロック１は連結部材５と６により横方向に連結されて、平面的なブロック群Ａを形成する。
【００１４】
また、ブロック1を図８の上側に示す通り、上下に隣り合うブロック１、１を枠部２と脚部3とが相対するように配置して、枠部２と脚部３とを図８の下側に示すように嵌め合わせれば、ブロック１は枠部２と脚部３の嵌合による連結で縦方向に真っ直ぐに連結されて立体的なブロック群Ｂを形成する。
【００１５】
更に、ブロック１を横に連結して形成した平面的なブロック郡Ａの隣接する２つのブロック１、１の連結部分の上へ、図9に示す通り他のブロック１を、上記連結部へ脚部３の切割８が対応するように配置して、切割８を図の下左側に示す通り対応する周壁２ａを挟み付けるように係合させれば、下段の２個のブロック１、１の中間へ上段のブロック１が連結される斜め縦方向の連結が行なわれて、この場合は幅と高さとを有する立体的なブロック群Ｃを形成する。
【００１６】
従って、上記ブロック群Ａか、ブロック群Ｂか、ブロック群Ｃが形成されるブロック１の連結を単独または組み合わせで行なえば、各種の什器や玩具等をブロック１の連結によって簡単に形成することができる。
【００１７】
次に、ブロック１は、上側の枠部２にペットボトル１の下部を嵌り込み、下側の脚部３の受孔７にペットボトル４の上部を嵌り込むようにしてあるので、ペットボトル４の上部及び下部へ図１０に示す通りブロック１、１を取り付けることができる。従って、ブロック１、１を上下に取り付けたペットボトル４を図１１に示す通り縦方向に配置して、右側の上部に示す通り、上段のペットボトル４の下部に取り付けたブロック１の脚部３と、下段のペットボトル４の上部へ取り付けたブロック１の受部２とを対応させて、両者を嵌め合わせれば図１１の下側及び左隣の列に示す通り、ペットボトル４をブロック１、１によって縦方向へ真っ直ぐに連結してペットボトル群Ｄを形成することができる。
【００１８】
上記の通り縦方向に連結されたペットボトル群Ｄは、ブロック１における枠部２に設けた雄雌の連結手段５、６を掛け合せれば、ペットボトル群Ｄが横方向に連結されて平面的な広さを有するようになるので、連結の仕方を色々に工夫すれば様々な立体形状の什器や玩具等をペットボトル4で形成することができる。
【産業上の利用可能性】
【００１９】
本発明のブロックは、単体で連結して什器、玩具を形成したり、ペットボトルへ取り付けて連結することによりペットボトルで什器、玩具を形成したりするのに適用できる。
【図面の簡単な説明】
【００２０】
【図１】ブロックの表側の斜視図
【図２】同上の裏側の斜視図
【図３】同上の平面図
【図４】同上の底面図
【図５】図３のＡ−Ａ線における断面図
【図６】図３のＢ−Ｂ線における断面図
【図７】ブロックの横方向の連結状態を示す平面図
【図８】ブロックの真っ直ぐな縦方向の連結状態を示す縦断正面図
【図９】ブロックの斜めの縦方向の連結状態を示す平面図
【図１０】ペットボトルの上部と下部へブロックを取り付けた縦断正面図
【図１１】ブロックを取り付けたペットボトルの縦方向の連結状態を示す縦断側面図
【符号の説明】
【００２１】
１  ブロック
２  枠部
２ａ  周壁
３  脚部
４  ペットボトル
５、６  連結手段
７  受孔
８  切割
【図１】
2005187001.tif 000003
【図２】
2005187001.tif 000004
【図３】
2005187001.tif 000005
【図４】
2005187001.tif 000006
【図５】
2005187001.tif 000007
【図６】
2005187001.tif 000008
【図７】
2005187001.tif 000009
【図８】
2005187001.tif 000010
【図９】
2005187001.tif 000011
【図１０】
2005187001.tif 000012
【図１１】
2005187001.tif 000013